(57)【要約】【課題】リテーナの逆挿入状態を早い段階で知ることができるコネクタを提供する。【解決手段】ハウジング１０には前方からリテーナ６０が装着される。リテーナ６０は、弾性係止部７１がハウジング１０の係止受部２４を弾性的に係止することでハウジング１０に保持される。弾性係止部７１は、リテーナ６０の基準壁７７に対し前後方向と交差する方向に突出する撓み支点部７３と、撓み支点部７３から前方（装着方向後方）に延出する本体部７５とを有する。リテーナ６０の基準壁７７には、前後方向に延出して前端（装着方向後端）が撓み支点部７３と一体に連結された補強部７８が肉盛りして設けられる。補強部７８の後端（装着方向前端）は、リテーナ６０がハウジング１０に対して正規とは逆向きの姿勢をとった場合にハウジング１０の対向する壁面と干渉する逆挿防止部７９として構成される。【選択図】図５
2017073295.tif 000002
【特許請求の範囲】
【請求項１】
端子金具を挿入可能なキャビティを有するとともに、係止受部を有するハウジングと、
前記ハウジングに装着され、前記係止受部と対応する位置に弾性係止部を有し、前記弾性係止部が前記係止受部を弾性的に係止することで前記ハウジングに保持され、前記端子金具を前記キャビティ内に抜け止めするリテーナとを備え、
前記弾性係止部は、前記リテーナの基準壁に対し前記ハウジングへの装着方向と交差する方向に突出する撓み支点部と、前記撓み支点部から前記装着方向の後方に延出する本体部とを有し、
前記リテーナの基準壁には、前記装着方向に延出して前記装着方向の後端が前記撓み支点部と一体に連結された補強部が肉盛りして設けられ、
前記補強部の前記装着方向の前端は、前記リテーナが前記ハウジングに対して正規とは逆向きの姿勢をとった場合に前記ハウジングの対向する壁面と干渉する逆挿防止部として構成されることを特徴とするコネクタ。
【請求項２】
前記本体部は、前記装着方向と交差する方向で前記補強部とラップする部分を有していることを特徴とする請求項１記載のコネクタ。
【請求項３】
前記逆挿防止部と前記ハウジングの対向する壁面とは、前記装着方向と直交する方向に沿って配置され、又は、前記装着方向に対し相互の係止を深める逆テーパ方向に傾斜して配置されていることを特徴とする請求項１又は２記載のコネクタ。
【発明の詳細な説明】
【技術分野】
【０００１】
本発明は、コネクタに関する。
【背景技術】
【０００２】
特許文献１に開示のコネクタは、端子金具を挿入可能なキャビティを有するとともに、本係止受部を有するハウジングと、ハウジングに装着され、本係止受部と対応する位置に係止アーム（以下、弾性係止部）を有し、弾性係止部が本係止受部を弾性的に係止することでハウジングに保持され、キャビティ内に端子金具を抜け止めするリテーナとを備えている。
【０００３】
フロントリテーナは、筒状の周壁部を有し、周壁部の両側部には一対の窪み部が内側に引っ込むように形成され、窪み部の上下両縁にはスリットが形成されている。弾性係止部は、窪み部における上下のスリット間に撓み変形可能に配置されている。具体的には、弾性係止部は、前後両端を固定端とする両持ち状をなし、前端から後方（リテーナのハウジングへの装着方向前方）へ真直ぐ延びたあと後端部（以下、撓み支点部）で外側にテーパ状に拡開する形態になっている。弾性係止部の撓み支点部は、周壁部の後端部に一体に連結されている。周壁部の後端部分を基準壁とすると、撓み支点部は、基準壁に対しハウジングへの装着方向と交差する内側に突出する形態になっている。
【先行技術文献】
【特許文献】
【０００４】
【特許文献１】特開２０１４−９３２２１号公報
【発明の概要】
【発明が解決しようとする課題】
【０００５】
上記従来のコネクタにおいて、例えば、リテーナが誤って正規から上下逆向きの姿勢をとってハウジングに装着されようとすると、撓み支点部の後端がハウジングの外壁と干渉し、リテーナの装着動作が規制される。したがって、リテーナが誤った姿勢のままハウジングに装着される事態を防止することができる。しかし、撓み支点部の後端がハウジングの外壁と干渉するのは、リテーナがハウジングに相当程度に装着された時点であるため、作業者がリテーナの逆挿入状態に気づかないおそれがある。その場合、ハウジングが相手コネクタと嵌合される途中でリテーナの逆挿入状態に気づくことがあり、改めて組み付け作業をやり直す必要があって、作業性が悪化する懸念がある。
【０００６】
本発明は上記のような事情に基づいて完成されたものであって、その目的は、リテーナの逆挿入状態を早い段階で知ることができるコネクタを提供するところにある。
【課題を解決するための手段】
【０００７】
本発明のコネクタは、端子金具を挿入可能なキャビティを有するとともに、係止受部を有するハウジングと、前記ハウジングに装着され、前記係止受部と対応する位置に弾性係止部を有し、前記弾性係止部が前記係止受部を弾性的に係止することで前記ハウジングに保持され、前記端子金具を前記キャビティ内に抜け止めするリテーナとを備え、前記弾性係止部は、前記リテーナの基準壁に対し前記ハウジングへの装着方向と交差する方向に突出する撓み支点部と、前記撓み支点部から前記装着方向の後方に延出する本体部とを有し、前記リテーナの基準壁には、前記装着方向に延出して前記装着方向の後端が前記撓み支点部と一体に連結された補強部が肉盛りして設けられ、前記補強部の前記装着方向の前端は、前記リテーナが前記ハウジングに対して正規とは逆向きの姿勢をとった場合に前記ハウジングの対向する壁面と干渉する逆挿防止部として構成されるところに特徴を有する。
【発明の効果】
【０００８】
リテーナがハウジングに対して正規とは逆向きに姿勢をとった場合には、補強部の装着方向前端における逆挿防止部がハウジングの対向する壁面と干渉するから、リテーナの装着動作が規制され、その時点でリテーナの逆挿入状態を知ることができる。とくに、補強部が弾性係止部よりも装着方向前方に位置しているため、弾性係止部の装着方向前端がハウジングの対向する壁面と干渉する場合に比べ、リテーナの逆挿入状態を早期に知ることができる。さらに、補強部の装着方向後端が撓み支点部に一体に連結されているため、弾性係止部が所定の撓み強度を確保することができる。
【図面の簡単な説明】
【０００９】
【図１】本発明の実施例１において、ハウジングにリテーナが正規に装着された状態を示す正面図である。
【図２】ハウジングにリテーナが正規に装着された状態を示す側面視方向の断面図である。
【図３】ハウジングにリテーナが正規に装着された状態を示す平面視方向の断面図である。
【図４】ハウジングにリテーナが正規とは逆向きの姿勢をとって装着動作が規制された状態を示す正面図である。
【図５】ハウジングにリテーナが正規とは逆向きの姿勢をとって装着動作が規制された状態を示す平面視方向の断面図である。
【図６】ハウジングの正面図である。
【図７】リテーナの側面図である。
【図８】リテーナの背面図である。
【図９】リテーナの側面視方向の断面図である。
【発明を実施するための形態】
【００１０】
本発明の好ましい形態を以下に示す。
前記本体部は、前記ハウジングへの装着方向と交差する方向で前記補強部とラップする部分を有している。これによれば、補強部による補強効果を高めることができるとともに、リテーナが装着方向と交差する方向に大型化するのを回避することができる。
【００１１】
前記逆挿防止部と前記ハウジングの対向する壁面とは、前記装着方向と直交する方向に沿って配置され、又は、前記装着方向に対し相互の係止を深める逆テーパ方向に傾斜して配置されている。これによれば、逆挿防止部がハウジングの対向する壁面と干渉したときに、リテーナの装着動作を確実に規制することができる。
【００１２】
＜実施例１＞
以下、本発明の実施例１を図１〜図９に基づいて説明する。実施例１のコネクタは、合成樹脂製のハウジング１０と、ハウジング１０に装着される合成樹脂製のリテーナ６０と、ハウジング１０に収容される導電金属製の端子金具５０とを備えている。ハウジング１０は、図示しない相手コネクタのフード部に嵌合可能とされている。なお、以下の説明において、前後方向については、相手コネクタとの嵌合時に相手コネクタに向き合う面側を前側とする。この「前側」は、リテーナ６０のハウジング１０への装着方向の後側に該当し、「後側」は、リテーナ６０の装着方向の前側に該当する。上下方向については、図３及び図５を除く各図を基準とする。
【００１３】
図２及び図６に示すように、ハウジング１０は、前後方向に長いハウジング本体１１と、ハウジング本体１１の外周を包囲する筒状の嵌合筒部１２と、嵌合筒部１２とハウジング本体１１とを連結する径方向に沿った連結部１３とを有している。ハウジング本体１１と嵌合筒部１２との間で且つ連結部１３の前方の空間は、相手コネクタのフード部が嵌合可能な嵌合空間１４となっている。
【００１４】
ハウジング本体１１には、左右一対のキャビティ１５が前後方向に貫通して設けられている。ハウジング本体１１のキャビティ１５の上壁には、上下方向に撓み変形可能なランス１６が前方に突出して設けられている。
【００１５】
図２に示すように、ハウジング本体１１のキャビティ１５には後方から端子金具５０が挿入される。端子金具５０は、前後方向に細長い形態とされ、前端部に相手側の雄タブが挿入接続される筒状の接続部５１を有し、後端部に電線１００の端末部及びゴム栓１１０に圧着接続されるバレル部５２を有している。端子金具５０がキャビティ１５に正規挿入されると、ゴム栓１１０がキャビティ１５の後端部に液密に挿入される。なお、キャビティ１５の後端部は、ゴム栓１１０の外周形状と対応するように断面円形に形成されている。
【００１６】
図６に示すように、ハウジング本体１１の前面には、相手側の雄タブを誘い込む誘い込み面１７が設けられている。誘い込み面１７は、キャビティ１５の開口縁の下辺部分と両側辺部分とを構成し、外側に拡開する形態になっている。
【００１７】
図３に示すように、ハウジング本体１１の前端部のうち、隣接するキャビティ１５間を区画する隔壁１８には、細孔１９が設けられている。細孔１９は、前後方向に延出してハウジング本体１１の前面に開口する形態とされている。
【００１８】
図３及び図６に示すように、ハウジング本体１１の前端部のうち、左右両側面の下部には、リテーナ６０の装着時に後述する弾性係止部７１及び補強部７８が進入する逃がし溝２１が凹設されている。図３及び図５に示すように、ハウジング本体１１の両逃がし溝２１の奥面下部には、リテーナ６０が正規とは逆向きに姿勢をとって装着されようとしたときに後述する逆挿防止部７９と当接する当接部２２が突設されている。当接部２２は、左右両側の誘い込み面１７の外側で且つ誘い込み面１７より後方に引っ込んだ位置において、上下方向及び左右方向に沿いつつ前方を向いた当接面２３を有している。
【００１９】
また、図３及び図６に示すように、ハウジング本体１１の両逃がし溝２１の奥面上部には、リテーナ６０が正規深さで装着されたときに後述する弾性係止部７１の係止部７６に係止可能な係止受部２４が設けられている。係止受部２４は、左右方向で当接面２３とラップしつつ当接面２３よりも後方の位置において、上下方向及び左右方向に沿いつつ後方を向いた係止受面２５を有している。
【００２０】
図２に示すように、ハウジング本体１１の上方には、ロックアーム２６が設けられている。ロックアーム２６は、前後方向に沿った板片状をなし、左右両側縁が嵌合筒部１２の上部の両側壁部分に一体に連結され、その左右両側縁を支点としてシーソ状に撓み変形可能とされている。ロックアーム２６の前端部にはロック孔２７が設けられている。ロックアーム２６が撓み変形した後、ロック孔２７に図示しない相手コネクタのロック突起が嵌り込むことにより、ハウジング１０が相手コネクタに離脱規制された状態で保持される。嵌合筒部１２の上壁は、前端部の天板部２８で構成され、天板部２８の後方は開放され、その開放空間を通してロックアーム２６を視認することが可能となっている。
【００２１】
続いて、リテーナ６０について説明する。図８及び図９に示すように、リテーナ６０は、ハウジング本体１１の前端に対向して配置される前壁６１と、前壁６１の外周縁から後方に突出する周壁６２とを有している。前壁６１には、左右一対の嵌合孔６３が貫通して設けられている。図１に示すように、前壁６１の嵌合孔６３には、ハウジング１０におけるキャビティ１５の前端部を包囲するタワー部２９が嵌合状態で挿入される。また、前壁６１における嵌合孔６３の上端縁を臨む位置には、雄タブを誘い込むリテーナ側誘い込み面６４が外側に拡開して設けられている。リテーナ側誘い込み面６４は、ハウジング１０への装着時にハウジング１０側の左右両側の誘い込み面１７と周方向で連続して配置される。
【００２２】
前壁６１の後面のうち、両嵌合孔６３間を仕切る部分には、図３に示すように、突出部６５が後方に突出して設けられている。突出部６５は、ハウジング１０への装着時に細孔１９に嵌合状態で挿入される。突出部６５が細孔１９に挿入されることで、ハウジング１０に対するリテーナ６０の位置決めがなされる。図８に示すように、突出部６５の下端と嵌合孔６３の下縁には、タワー部２９と当接してハウジング１０とリテーナ６０との間のガタ付きを抑えるガタ詰め部６６が設けられている。ガタ詰め部６６は、前後方向に延出するリブ状の形態とされている。
【００２３】
図１及び図３に示すように、前壁６１の上端側の左右両角部には、凹溝６７が切り欠くようにして設けられている。凹溝６７は、前後方向に延出して周壁６２の前端部に跨って開口する形態になっている。凹溝６７には、ハウジング１０が相手コネクタに嵌合されたときに図示しないフード部のガイドリブが嵌合可能とされている。
【００２４】
図８に示すように、周壁６２の外周面のうち、周方向に間隔をあけた複数箇所には、フード部の内周面に当接して相手コネクタとリテーナ６０との間のガタ付きを抑える外側ガタ詰め部６８が設けられている。外側ガタ詰め部６８は、前後方向に延出するリブ状の形態とされている。
【００２５】
図２に示すように、周壁６２の上部の内面には、ランス１６の上方（撓み空間）に進入してランス１６の撓み動作を規制する規制部６９が突出して設けられている。規制部６９は、前後方向に延出するリブ状をなし、下面がランス１６と当接可能とされている。
【００２６】
図８に示すように、周壁６２の左右両側部の上下方向略中央部には、弾性係止部７１が設けられている。図７に示すように、弾性係止部７１は、周壁６２の前部において周囲から一段内側に引っ込む位置に配置され、上下方向両側において前後方向に延出するスリット７２間で撓み変形可能とされている。弾性係止部７１は、前端が前壁６１に一体に連結され、後端（後述する撓み支点部７３の後端）が周壁６２の後部に一体に連結されており、前後両端が固定された両持ち状の形態になっている。弾性係止部７１の外面前端は、図１に示すように、前壁６１の左右両側縁において断面四角凹状に凹む凹所７４の奥面に構成されている。具体的には弾性係止部７１は、図３に示すように、前壁６１から後方へ前後方向にほぼ真っ直ぐ延出する本体部７５と、本体部７５の後端から後方へ向けて次第に外側に傾斜する撓み支点部７３とを有している。本体部７５の前後方向略中央部の内面には、爪状の係止部７６が突出して設けられている。係止部７６は、前面が係止受部２４の係止受面２５に対面して係止可能とされている。
【００２７】
図３に示すように、周壁６２の後部は、前後方向に延出する薄壁の基準壁７７と、基準壁７７の内面（基準面８１）に肉盛り状に突出する補強部７８とを有している。撓み支点部７３は、基準壁７７と補強部７８の双方の壁厚と対応する厚みを有して周壁６２の後部（基準壁７７及び補強部７８）に一体に連結されている。補強部７８は、前後方向に延出するリブ状をなし、図８及び図９に示すように、撓み支点部７３の上下幅とほぼ同一の上下幅を有している。また、補強部７８は、左右方向（壁厚方向）に関して本体部７５と重なり合う部分（ラップする部分）を有している。補強部７８の後端は、周壁６２の後端寄りの位置において上下方向及び左右方向に沿って配置される逆挿防止部７９として構成される。
【００２８】
ここで、本体部７５の内面、補強部７８の内面及び基準面８１は、いずれも前後方向に沿って配置され、本体部７５の内面、補強部７８の内面及び基準面８１へと順次内側に位置するように階段状に配置されている。
【００２９】
次に、本実施例１の作用効果を説明する。
ハウジング本体１１のキャビティ１５に後方から端子金具５０が挿入される。端子金具５０は接続部５１がランス１６によって弾性的に係止されることでキャビティ１５内に一次的に抜け止めされる。続いて、ハウジング本体１１に前方からリテーナ６０が装着される。このとき、リテーナ６０が正規の装着姿勢をとっていると、弾性係止部７１が補強部７８に続いて逃がし溝２１に進入する。リテーナ６０の装着過程では、係止部７６が係止受部２４を摺動し、弾性係止部７１の前端及び撓み支点部７３を支点として、本体部７５が外側に撓み変形させられる。本体部７５の撓み動作は、撓み支点部７３に一体に連結された補強部７８の補強効果によって円滑になされる。
【００３０】
リテーナ６０が正規深さで装着されると、本体部７５が弾性的に復帰し、それに伴い係止部７６が係止受部２４の係止受面２５に対面して係止可能に配置され、リテーナ６０の抜け方向（前方）への戻り移動が規制される（図３を参照）。また、補強部７８の後端が逃がし溝２１の奥端と当接可能に配置される。さらに、細孔１９に突出部６５が嵌合されるとともに、嵌合孔６３にタワー部２９が嵌合されて、前壁６１がハウジング本体１１の前面部に当接し、これによってリテーナ６０のそれ以上後方への移動が規制される。こうしてリテーナ６０がハウジング１０に装着された状態では、規制部６９がランス１６の撓み動作を規制し、端子金具５０がキャビティ１５内に二次的に抜け止めされる（図２を参照）。その後、ハウジング１０の嵌合空間１４に相手コネクタのフード部が嵌合され、リテーナ６０がハウジング本体１１とともにフード部内に挿入される。
【００３１】
ところで、仮に、リテーナ６０が正規から上下反転した逆向きの装着姿勢をとっていると、弾性係止部７１及び補強部７８が、係止受部２４と対向する位置から下方にずれ、当接部２２と対向する位置に至らされる。その状態で、リテーナ６０の装着動作を進めようとすると、リテーナ６０の周壁６２の前端がハウジング１０の嵌合空間１４に僅かに進入した時点で、補強部７８の逆挿防止部７９が当接部２２の当接面２３に当接し、リテーナ６０のそれ以上後方への移動が規制される（図５を参照）。このとき、弾性係止部７１の撓み支点部７３は当接面２３の前方に大きく離間して配置され、リテーナ６０は手を離せばハウジング本体１１から容易に離脱する状態になる。したがって、リテーナ６０が逆向きの装着姿勢をとっていることを明確に知ることができる。
【００３２】
このように、本実施例１によれば、弾性係止部７１よりも後方（ハウジング１０への装着方向の前方）に位置する補強部７８が後端に逆挿防止部７９を有し、逆挿防止部７９が当接部２２の当接面２３に当接してリテーナ６０の逆挿入状態を検知することができるため、弾性係止部７１が当接部２２の当接面２３と当接する場合に比べ、極めて早い段階で、リテーナ６０の逆挿入状態を知ることができる。その結果、リテーナ６０が逆挿入状態であることに気付かずにコネクタの嵌合動作を開始させてしまう事態を防止することができる。とくに、本実施例１の場合、補強部７８が撓み支点部７３に一体に連結されていることで、弾性係止部７１の撓み強度が補強されているため、弾性係止部７１の撓み動作の円滑性が担保される。
【００３３】
また、本体部７５が前後方向と交差する左右方向で補強部７８とラップする部分を有しているため、補強部７８による補強効果を高めることができるとともに、リテーナ６０が左右方向に大型化するのを回避することができる。
【００３４】
さらに、逆挿防止部７９と当接面２３とがいずれも前後方向と直交する左右方向に沿って配置されているため、逆挿防止部７９が当接面２３と干渉したときに、リテーナ６０がそれ以上後方に移動するのを確実に規制することができる。
【００３５】
＜他の実施例＞
本発明の他の実施例を簡単に説明する。
（１）リテーナは、ハウジング本体の側面に開口する装着孔に側方から装着されるサイドタイプのリテーナであってもよい。
（２）リテーナは、ハウジングに対して仮係止位置と本係止位置との間を移動可能とされ、仮係止位置と本係止位置のそれぞれでハウジングに保持される構成であってもよい。この場合、仮係止位置では前壁がハウジング本体の前方に離れて配置されることでキャビティへの端子金具の挿入が許容され、本係止位置では前壁がハウジング本体の前面に当接可能に配置されて規制部が端子金具を抜け止め可能な位置に至るとよい。
（３）弾性係止部の本体部は、撓み支点部から前方（装着方向の後方）に片持ち状に延出する形態であってもよい。
（４）逆挿防止部とハウジングの当接面とが前後方向に対し相互の係止を深める逆テーパ方向に傾斜して配置されていてもよい。こうすると、逆挿防止部が当接面と干渉したときに、リテーナがそれ以上後方に移動するのをいっそう確実に規制することができる。
【符号の説明】
【００３６】
１０…ハウジング
１５…キャビティ
２４…係止受部
５０…端子金具
６０…リテーナ
７１…弾性係止部
７３…撓み支点部
７５…本体部
７７…基準壁
７９…逆挿防止部
【図１】
2017073295.tif 000003
【図２】
2017073295.tif 000004
【図３】
2017073295.tif 000005
【図４】
2017073295.tif 000006
【図５】
2017073295.tif 000007
【図６】
2017073295.tif 000008
【図７】
2017073295.tif 000009
【図８】
2017073295.tif 000010
【図９】
2017073295.tif 000011